(57)【要約】【課題】複数の画像ファイルからドキュメントを生成するシステムおよび方法を提供する。【解決手段】先ず、少なくとも１つの画像データ・ファイルは透明度特性を有する領域を表す透明度データを含む複数の画像データ・ファイルを受け取る。次に、受け取った画像データ・ファイルのそれぞれに対応する画像特性を表す画像特性データを受け取る。次いで、受け取った複数の画像データ・ファイルを重ね合わせることによって合成画像を生成する。次に、生成された合成画像の出力を生成する。【選択図】図６
2008289166.tif 000002
【特許請求の範囲】
【請求項１】
少なくとも１つの画像データ・ファイルは透明度特性を有する領域を表す透明度データを含む、複数の画像データ・ファイルを受け取る手段と、
前記画像データ・ファイルのそれぞれに対応する画像特性を表す画像特性データを受け取る手段と、
複数の前記画像データ・ファイルを重ね合わせることによって合成画像を生成する手段と、
生成された合成画像の出力を生成する手段と
を有することを特徴とする複数の画像オーバーレイからドキュメントを生成するシステム。
【請求項２】
前記透明度データは色透明度データを含み、前記色透明度データはプレゼンテーションから除去される領域内の少なくとも１つの色を表すことを特徴とする請求項１に記載の複数の画像オーバーレイからドキュメントを生成するシステム。
【請求項３】
前記画像特性データは、対応する画像データ・ファイルに関するティント・レベルを表すデータを含むことを特徴とする請求項１に記載の複数の画像オーバーレイからドキュメントを生成するシステム。
【請求項４】
前記画像特性データは、対応する画像データ・ファイルに関するティント・レベルを表すデータを含むことを特徴とする請求項２に記載の複数の画像オーバーレイからドキュメントを生成するシステム。
【請求項５】
人間によって認識可能であって有形のドキュメントを画像走査することにより前記画像データ・ファイルを生成する画像走査手段を、さらに、有することを特徴とする請求項１に記載の複数の画像オーバーレイからドキュメントを生成するシステム。
【請求項６】
前記生成された合成画像に対応し、人間によって認識可能であって有形のドキュメントを生成する手段を、さらに、有することを特徴とする請求項１に記載の複数の画像オーバーレイからドキュメントを生成するシステム。
【請求項７】
少なくとも１つの画像データ・ファイルは透明度特性を有する領域を表す透明度データを含む、複数の画像データ・ファイルを受け取るステップと、
前記画像データ・ファイルのそれぞれに対応する画像特性を表す画像特性データを受け取るステップと、
複数の前記画像データ・ファイルを重ね合わせることによって合成画像を生成するステップと、
生成された合成画像の出力を生成するステップと
を含むことを特徴とする複数の画像オーバーレイからドキュメントを生成する方法。
【請求項８】
前記透明度データは色透明度データを含み、前記色透明度データはプレゼンテーションから除去される領域内の少なくとも１つの色を表すことを特徴とする請求項７に記載の複数の画像オーバーレイからドキュメントを生成する方法。
【請求項９】
前記画像特性データは、対応する画像データ・ファイルに関するティント・レベルを表すデータを含むことを特徴とする請求項７に記載の複数の画像オーバーレイからドキュメントを生成する方法。
【請求項１０】
前記画像特性データは、対応する画像データ・ファイルに関するティント・レベルを表すデータを含むことを特徴とする請求項８に記載の複数の画像オーバーレイからドキュメントを生成する方法。
【請求項１１】
人間によって認識可能であって有形のドキュメントを画像走査することにより前記画像データ・ファイルを生成するステップを、さらに、含むことを特徴とする請求項７に記載の複数の画像オーバーレイからドキュメントを生成する方法。
【請求項１２】
前記生成された合成画像に対応し、人間によって認識可能であって有形のドキュメントを生成するステップを、さらに、含むことを特徴とする請求項７に記載の複数の画像オーバーレイからドキュメントを生成する方法。
【発明の詳細な説明】
【技術分野】
【０００１】
本発明は、ドキュメントを生成するシステムおよび方法に関し、特に、複数の画像ファイルからドキュメントを生成するシステムおよび方法に関する。
【背景技術】
【０００２】
しばしば、広告、教育資料、グラフィック・デザイン、標識、プラカードまたはグラフィック要素を有するその他のドキュメント等のドキュメントを生成する要求がある。このようなドキュメントは、複数のソース（source）から得られた電子データ画像によって形成されていることが多い。電子データ画像は、コピー装置または多機能周辺装置（Multi-Function Peripheral；以下、ＭＦＰということがある。）に内蔵された形態を含むスキャナを介して、取得することができる。また、電子データ画像は、ディジタル・カメラ、ディジタル・アーカイブ、ＣＡＤプログラム、ワード・プロセッシング・プログラムおよびグラフィック・デザイン・プログラム等からも取得することができる。
【０００３】
このようなドキュメントを組み合わせる従来の方法は、低レベルの技術のもの、低品質なものから、複雑なハードウェアおよびソフトウェア・システムとの間の複雑なやり取りを行うものに至るまで広範囲にわたっている。低レベルの技術の方法は、写真、グラフィックまたはテキストの切り抜き（clipping）と、これらをコピー装置の原稿台上の適当な位置に置くことを含むかもしれない。高度のレベルの技術の方法においては、ユーザは、ディジタル化されたドキュメント・データを取得し、取得したドキュメント・データを苦労してインポートした後、合成された出力を形成するために、それらをコンピュータ端末上においてレイアウトと位置決めを行うことが要求される。しばしば、この高度のレベルの方法は、ディジタル化されたドキュメントをインポートし、閲覧し、編集し、位置決めを行い、または出力するために必要な、複雑なハードウェアおよびソフトウェアにアクセスすることを必要とする。
【発明の開示】
【発明が解決しようとする課題】
【０００４】
本発明は、上記の従来の問題点に鑑みてなされたもので、複数の画像ファイルからドキュメントを生成するシステムおよび方法を提供することを目的とする。
【課題を解決するための手段】
【０００５】
本発明による複数の画像オーバーレイからドキュメントを生成するシステムは、少なくとも１つの画像データ・ファイルは透明度特性を有する領域を表す透明度データを含む複数の画像データ・ファイルを受け取る手段と、画像データ・ファイルのそれぞれに対応する画像特性を表す画像特性データを受け取る手段とを有する。また、本システムは、複数の画像データ・ファイルを重ね合わせることによって合成画像（composite image）を生成する手段と、生成された合成画像の出力を生成する手段とを有する。
【０００６】
本発明による一実施形態においては、透明度データは色透明度データを含み、この色透明度データはプレゼンテーションから除去される領域内の少なくとも１つの色を表す。
【０００７】
本発明による別の実施形態においては、画像特性データは、対応する画像データ・ファイルに関するティント・レベル（tint level）を表すデータを含む。
【０００８】
本発明によるさらに別の実施形態においては、本システムは、人間によって認識可能であって有形のドキュメントを画像走査することにより前記画像データ・ファイルを生成する画像走査手段を、さらに、有する。
【０００９】
本発明によるさらなる実施形態において、本システムは、生成された合成画像に対応し、人間によって認識可能であって有形のドキュメントを生成する手段を、さらに、有する。
【００１０】
本発明による複数の画像オーバーレイからドキュメントを生成する方法は、少なくとも１つの画像データ・ファイルは透明度特性を有する領域を表す透明度データを含む複数の画像データ・ファイルを受け取るステップと、画像データ・ファイルのそれぞれに対応する画像特性を表す画像特性データを受け取るステップと、複数の画像データ・ファイルを重ね合わせることによって合成画像を生成するステップと、生成された合成画像の出力を生成するステップとを含む。
【発明の効果】
【００１１】
本発明によれば、複数の画像ファイルからドキュメントを生成するシステムおよび方法が提供される。
【発明を実施するための最良の形態】
【００１２】
以下、適宜、図面を参照しながら本発明による実施形態の説明を行う。図１は本発明による実施形態が適用されるシステム全体の構成例を示す。図に示したシステム１００は、コンピュータ・ネットワーク１０２として表されている分散コンピューティング環境を利用している。コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはそれらの任意の組み合わせを含む本技術分野で知られている任意のコンピュータ・ネットワークである。本発明による一実施形態において、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。尚、図１にはコンピュータ・ネットワーク１０２を示したが、本発明を本技術分野において知られているスタンドアローンのシステム形態で実施することも同様に可能である。
【００１３】
システム１００は、さらに、様々なドキュメント処理を実行するために適切な多機能周辺装置（Multi-Function Peripheral；以下、ＭＦＰということがある。）として図に表されている、ドキュメント処理装置１０４を含む。しかし、ＭＦＰはドキュメント処理装置の一形態であって、本発明におけるドキュメント処理装置がＭＦＰに限定されるものではない。ドキュメント処理装置における処理動作には、例えば、ファクシミリ通信、画像走査、コピー、印刷、電子メール、ドキュメント管理またはドキュメント保存等が含まれる。本発明による一形態においては、ドキュメント処理装置１０４は、リモート・ドキュメント処理サービスを外部装置あるいはネットワークに接続された装置に対して提供する。ドキュメント処理装置１０４は、ユーザまたはネットワークに接続された装置等とやり取りするように構成された、ハードウェア、ソフトウェアおよびこれらの任意の適切な組み合わせを含んでいる。ドキュメント処理装置１０４の構成等については、後ほど図２と図３を参照しながら説明を行う。
【００１４】
また、本発明による一実施形態において、ドキュメント処理装置１０４は、例えば、IEEE 1394あるいはＵＳＢインターフェイスを有する各種ドライブ、多様なＩＣメモリカード等の、複数のポータブル記憶媒体を受け入れるためのインターフェイスを備える。本発明の実施形態においては、ドキュメント処理装置１０４は、さらに、タッチ・スクリーン、ＬＣＤ、タッチ・パネルまたは英数字キーパッド等のユーザ・インターフェイス１０６を備え、ユーザは、このようなユーザ・インターフェイスを介してドキュメント処理装置１０４と直接やり取りすることができる。ユーザ・インターフェイス１０６は、ユーザに対して情報を伝達するとともに、ユーザから選択結果を受け取るために用いられる。ユーザ・インターフェイス１０６は、本技術分野において知られているように、ユーザに対してデータを提示するために適切な様々なコンポーネントを有している。ユーザ・インターフェイス１０６は、後ほど説明するように、１つまたは複数のグラフィック要素、テキスト・データまたは画像等をユーザに対して表示し、ユーザから入力を受け取るとともに、受け取ったユーザ入力情報をコントローラ１０８等のバックエンド・コンポーネントに伝達するために適切なディスプレイを有する。ドキュメント処理装置１０４は、適切な通信リンク１１２を介して、コンピュータ・ネットワーク１０２に通信可能に接続されている。適切な通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または本技術分野において知られている他の適切な有線または無線のデータ通信チャネルがある。
【００１５】
本発明による実施形態において、ドキュメント処理装置１０４は、さらに、ドキュメント処理装置１０４による処理操作を容易にする、図においてコントローラ１０８として示した、適切なバックエンド・コンポーネントを内蔵している。コントローラ１０８は、ドキュメント処理装置１０４の動作を制御し、ユーザ・インターフェイス１０６を介した画像の表示を円滑に実行し、または電子画像データの操作の制御等の処理を容易にするように構成されたハードウェア、ソフトウェアあるいはこれらの適切な組み合わせによって実装される。以下の説明においては、コントローラ１０８という用語は、後述する動作を実行し、もしくは実行させ、もしくは制御し、またはその他の方法で管理するように機能するハードウェア、ソフトウェア、またはこれらの組み合わせを含むドキュメント処理装置１０４と関連する任意の多数のコンポーネントの意味で、使用する。なお、図および上記の説明において、コントローラ１０８をドキュメント処理装置１０４に内蔵された形態としたが、コントローラ１０８は、ドキュメント処理装置１０４に通信可能に接続された外部装置の形態であってもよい。コントローラ１０８との関連において説明を行う動作は、本技術分野において知られている任意の汎用コンピューティング・システムによって実行可能である。したがって、コントローラ１０８は、このような汎用的なコンピューティング装置を表しており、以下の説明において使用する際にも、そのように意図されている。また、以下の説明においてはコントローラ１０８を使用しているが、これは実施形態の例にすぎず、その他の実施形態によっても、本発明による複数の画像オーバーレイからドキュメントを生成するシステムおよび方法を利用することができる。コントローラ１０８の構成等については、後ほど図４と図５を参照しながら説明を行う。
【００１６】
また、ドキュメント処理装置１０４にはデータ記憶装置１１０が通信可能に接続されている。データ記憶装置１１０は、例えば、ハードディスク・ドライブ、その他の磁気記憶装置、光学式記憶装置、フラッシュ・メモリまたはそれらの任意の組み合わせを含む本技術分野で知られている大容量記憶装置である。一実施形態においては、データ記憶装置１１０は、ドキュメント・データ、画像データ、または電子データベースのデータ等を保存するように適切に適合されている。データ記憶装置１１０は、図においてはシステム１００の独立したコンポーネントとして例示されているが、例えば、内蔵ハードディスク・ドライブ等のような、ドキュメント処理装置１０４の内部記憶装置、あるいはコントローラ１０８のコンポーネント等として実装することができる。
【００１７】
システム１００は、適切な通信リンク１１６を介して、コンピュータ・ネットワーク１０２とのデータ通信を行う、ユーザ装置１１４を、さらに、含む。図においてはユーザ装置１１４がノート形パーソナル・コンピュータとして示しているが、これは例示にすぎない。ユーザ装置１１４は、例えば、コンピュータ・ワークステーション、デスクトップ形パーソナル・コンピュータ、ＰＤＡ（Personal Digital Assistant；携帯情報端末）、ウェブ対応携帯電話、スマートフォン、専用通信ネットワーク用の装置またはその他のウェブ対応の電子装置を含む本技術分野において知られている任意のパーソナル・コンピューティング装置を表している。通信リンク１１６は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または本技術分野において知られている他の適切な有線または無線のデータ通信チャネルである。ユーザ装置１１４は、例えば、電子ドキュメント、ドキュメント処理命令、ユーザ・インターフェイスの変更、アップグレード、更新またはパーソナル化データ等を生成し、ドキュメント処理装置１０４あるいはコンピュータ・ネットワーク１０２に接続されたその他の類似装置に、送信する。
【００１８】
次に、図２および図３を参照しながら、本発明による実施形態におけるシステムの動作が実行されるドキュメント処理装置のハードウェアおよび機能構成等を説明する。図２に本発明による実施形態においてシステム１００の動作が実行される、図１においては装置１０４として表した、ドキュメント処理装置２００のハードウェア・アーキテクチャの構成例を示す。ドキュメント処理装置２００には、少なくとも一つのＣＰＵから構成されるプロセッサ２０２が含まれている。プロセッサ２０２は、互いに協調して動作する複数のＣＰＵから構成されることもある。また、ドキュメント処理装置２００には、ＢＩＯＳ機能、システム機能、システム構成データ、およびドキュメント処理装置２００の動作に使用するその他のルーチンもしくはデータ等の静的または固定的なデータ、あるいはインストラクションのために有効に使用される、不揮発性または読出し専用メモリ（ＲＯＭ）２０４が含まれている。
【００１９】
また、ドキュメント処理装置２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれている。ＲＡＭ２０６は、プロセッサ２０２によって処理されるアプリケーションおよびデータ処理に関係するデータ・インストラクションのための記憶領域を提供する。
【００２０】
ストレージ・インターフェイス２０８は、ドキュメント処理装置２００に関連するデータの不揮発性保存、大容量保存または長期的な保存ためのメカニズムを提供する。ストレージ・インターフェイス２０８は、参照符号２１６として図示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００２１】
ネットワーク・インターフェイス・サブシステム２１０は、ネットワークとの間の入出力を適切にルーティングすることによって、ドキュメント処理装置２００が他の装置と通信することを可能にする。ネットワーク・インターフェイス・サブシステム２１０は、ドキュメント処理装置２００の外部装置との一つまたは複数のコネクションを確立する。図においては、一例として、Ethernet（登録商標）またはトークン・リング等といった固定または有線ネットワークとのデータ通信のための少なくとも一つのネットワーク・インターフェイス・カード２１４、およびWiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはそれらの組合せから適切に構成される物理的ネットワーク２２０を介したデータ交換を行うために、相互接続されている。
【００２２】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２３】
ドキュメント処理装置２００における実行可能なインストラクションは、ワークステーション、他のドキュメント処理装置またはその他のサーバ等の複数の外部装置との通信を円滑に実行する。動作の際、代表的な装置は自立的に動作するが、しばしば、ローカル・ユーザによる直接的な制御が望ましい場合もある。ローカル・ユーザによる直接的な制御は、ユーザ入出力（Ｉ／Ｏ）パネル２２４へのオプションの入出力（Ｉ／Ｏ）インターフェイス２２２を介して実行することができる。
【００２４】
また、１つまたは複数のドキュメント処理エンジンへのインターフェイスも、バス２１２を介してデータ通信を行う。図に示した実施形態においては、印刷インターフェイス２２６、コピー・インターフェイス２２８、画像走査インターフェイス２３０およびファクシミリ・インターフェイス２３２は、それぞれ、印刷エンジン２３４、コピー・エンジン２３６、画像走査エンジン（スキャナ）２３８およびファクシミリ・エンジン２４０との通信を容易にする。ドキュメント処理装置２００は、１つまたは複数のドキュメント処理機能を適切に実行する。複数のドキュメント処理動作を実行するシステムは、前述したように一般に、多機能周辺装置（ＭＦＰ）または多機能装置と呼ばれる。
【００２５】
次に図３を参照しながらシステムの動作が実行される、図１においてはドキュメント処理装置１０４として示した、ドキュメント処理装置の機能ブロックを説明する。図３に、本発明による実施形態のシステム１００の動作が実行されるドキュメント処理装置３００の機能ブロックの構成例を示す。図３は、ソフトウェアおよびオペレーティング・システム機能と関連して、図２に示したハードウェアの機能性を例示している。
【００２６】
ドキュメント処理装置３００は、１つまたは複数のドキュメント処理動作を円滑に実行するドキュメント処理エンジン３０２を含んでいる。ドキュメント処理エンジン３０２は、印刷エンジン３０４、ファクシミリ・エンジン３０６、画像走査エンジン（スキャナ）３０８およびコンソール・パネル３１０を含む。印刷エンジン３０４は、ドキュメント処理装置３００に伝達された電子ドキュメントを、物理的なドキュメント、すなわちハードコピーの出力を可能とする。ファクシミリ・エンジン３０６は、ファクシミリ・モデム等の装置を介して、外部のファクシミリ装置との間で相互にファクシミリ通信を行う。
【００２７】
画像走査エンジン（スキャナ）３０８は、ハードコピー・ドキュメントを受け取り、このハードコピー・ドキュメントに対応する画像データに変換するように機能する。コンソール・パネル３１０等のユーザ・インターフェイスは、ユーザからのインストラクションの入力と、ユーザへの情報の表示を可能にする。画像走査エンジン３０８は、目に見える有形のドキュメントの入力を、ビットマップ・フォーマット、ベクター・フォーマットまたはページ記述言語（ＰＤＬ）フォーマットの電子的な形態へ変換し、さらに、光学文字認識のためにも構成されている。また、実際の目に見える有形のドキュメントの画像走査は、ファクシミリ動作においても有効に機能する。
【００２８】
図に示したドキュメント処理エンジン３０２は、ドライバ３２６を介したネットワークとのインターフェイス３１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現している。
【００２９】
ドキュメント処理エンジン３０２は、１つまたは複数のデバイス・ドライバ３１４と適切な通信を行う。デバイス・ドライバ３１４は、実際のドキュメント処理動作を実行するために、ドキュメント処理エンジン３０２と、１つまたは複数の物理的装置との間のデータ交換を可能とする。このようなドキュメント処理動作には、ドライバ３１８による印刷、ドライバ３２０によるファクシミリ通信、ドライバ３２２による画像走査、およびドライバ３２４によるユーザ・インターフェイス機能の中の１つまたは複数のものが含まれる。これらの多様な装置は、ドキュメント処理エンジン３０２と関連する１つまたは複数の対応したエンジンと結合されている。本発明においては、ドキュメント処理動作の任意のセットまたはサブセットが想定されている。複数の利用可能なドキュメント処理選択肢を含むドキュメント処理装置はＭＦＰと呼ばれている。
【００３０】
次に、図４および図５を参照しながら、本発明による実施形態におけるシステムの動作が実行されるコントローラのハードウェアおよび機能構成等を説明する。図４に本発明による実施形態においてシステム１００の動作が実行されるバックエンド・コンポーネント、すなわち図１においてコントローラ１０８として示した、コントローラ４００のハードウェア・アーキテクチャの構成例を説明するための図を示す。尚、図においては、コントローラの構成要素の意義をより明確にするため、参照符号４３２で表した、コントローラ以外のドキュメント処理装置の構成要素の一部を併せて示している。コントローラ１０８は、本明細書に記載する動作を円滑に実行する能力を有する、本技術分野において知られている任意の汎用的なコンピューティング装置を表している。コントローラ４００には、少なくとも一つのＣＰＵを含むプロセッサ４０２が含まれている。プロセッサ４０２は、互いに協調して動作する複数のＣＰＵから構成されることもある。また、コントローラ４００には、ＢＩＯＳ機能、システム機能、システム構成データおよびコントローラ４００の動作に使用されるその他のルーチンもしくはデータ等の静的または固定的なデータ、あるいはインストラクションのために有効に使用される、不揮発性または読出し専用メモリ（ＲＯＭ）４０４が含まれている。
【００３１】
また、コントローラ４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれている。ＲＡＭ４０６は、プロセッサ４０２によって処理されるアプリケーションおよびデータ処理に関係するデータ・インストラクションのための記憶領域を提供する。
【００３２】
ストレージ・インターフェイス４０８は、コントローラ４００に関連するデータの不揮発性保存、大容量保存または長期的な保存ためのメカニズムを提供する。ストレージ・インターフェイス４０８は、参照符号４１６として図示したディスク・ドライブ、あるいは光学式ドライブ、テープ・ドライブ等の適切な任意のアドレス指定可能、またはシリアル記憶装置等の大量記憶装置の他、当業者に知られている適切な任意の記憶媒体を使用する。
【００３３】
ネットワーク・インターフェイス・サブシステム４１０は、ネットワークとの間の入出力を適切にルーティングすることによって、コントローラ４００が他の装置と通信することを可能にする。ネットワーク・インターフェイス・サブシステム４１０は、装置４００に対する外部装置との一つまたは複数のコネクションのインターフェイスを適切にとる。図においては、例えば、Ethernet（登録商標）またはトークン・リング等といった固定または有線ネットワークとのデータ通信のための少なくとも一つのネットワーク・インターフェイス・カード４１４、およびWiFi、WiMax、無線モデム、セルラ・ネットワークまたは適切な任意の無線通信システム等の手段を介した無線通信のために適切な無線インターフェイス４１８とを示している。ネットワーク・インターフェイス・サブシステム４１０は、任意の物理的データ転送レイヤあるいは物理的データ転送レイヤではないデータ転送レイヤまたはプロトコル・レイヤを適切に利用する。図においては、ネットワーク・インターフェイス・カード４１４は、例えば、ローカル・エリア・ネットワーク、ワイド・エリア・ネットワークまたはそれらの組合せから適切に構成される物理的ネットワーク４２０を介したデータ交換を行うために、相互接続されている。
【００３４】
プロセッサ４０２、読出し専用メモリ（ＲＯＭ）４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００３５】
また、ドキュメント・プロセッサ・インターフェイス４２２もバス４１２を介してデータ通信を行う。ドキュメント・プロセッサ・インターフェイス４２２は、様々なドキュメント処理動作を実行するために、ドキュメント処理ハードウェア４３２との接続を提供する。そのようなドキュメント処理動作には、コピー・ハードウェア４２４によって実行されるコピー、画像走査ハードウェア４２６によって実行される画像走査、印刷ハードウェア４２８によって実行される印刷、およびファクシミリ・ハードウェア４３０によって実行されるファクシミリ通信がある。コントローラ４００は、これらのドキュメント処理動作のいずれかまたは全部を適切に動作させる。複数のドキュメント処理動作を実行可能なシステムは、前述したように、ＭＦＰとまたは多機能装置呼ばれる。
【００３６】
システム１００の機能は、ドキュメント処理装置１０４等の適切なドキュメント処理装置において実行され、ドキュメント処理装置は、それに関連するインテリジェント・サブシステムとして、図１においてコントローラ１０８として示した、図４のコントローラ４００を含む。次に図５を参照しながらシステムの動作が実行されるコントローラの機能ブロックと動作の概要を説明する。図５に、本発明による実施形態のシステム１００の動作が実行されるコントローラの機能ブロックの構成例を説明するための図を示す。尚、図５においても、コントローラの機能要素の意義をより明確にするため、コントローラ以外のドキュメント処理装置の機能要素の一部を併せて示している。図５は、ソフトウェアおよびオペレーティング・システム機能と関連して、図４に示したハードウェアの機能性を例示している。
【００３７】
コントローラの機能は、ドキュメント処理エンジン５０２を含む。一実施形態において、ドキュメント処理エンジン５０２は、印刷動作、コピー動作、ファクシミリ通信動作および画像走査動作を可能にする。これらの機能が一つの装置で実行できる装置は、産業界において一般に好まれているドキュメント処理周辺装置であるＭＦＰである。しかし、コントローラが上記のドキュメント処理動作のすべてを可能にする必要は必ずしもない。コントローラは、上記のドキュメント処理動作の一部を実行する専用のドキュメント処理装置、あるいはより限定した目的のドキュメント処理装置においても有効に用いられる。
【００３８】
ドキュメント処理エンジン５０２はユーザ・インターフェイス・パネル５１０と適切にインターフェイスされている。ユーザまたは管理者は、このユーザ・インターフェイス・パネル５１０を介して、ドキュメント処理エンジン５０２によって制御される機能にアクセスすることができる。アクセスは、コントローラにローカル接続されたインターフェイスを介して行われるか、または遠隔のシン・クライアント（thin client）もしくはシック・クライアント（thick client）によって遠隔から行われる。
【００３９】
ドキュメント処理エンジン５０２は、印刷機能部５０４、ファクシミリ通信機能部５０６および画像走査機能部５０８とデータ通信を行う。これらの機能部は、印刷、ファクシミリの送受信、およびドキュメント画像をコピーのために取得するか、またはドキュメント画像の電子バージョンを生成するための、ドキュメント画像走査の実際の処理動作を円滑に実行する。
【００４０】
ジョブ・キュー（job queue）５１２は、印刷機能部５０４、ファクシミリ通信機能部５０６および画像走査機能部５０８とデータ通信を行う。ビットマップ・フォーマット、ページ記述言語（ＰＤＬ）フォーマットまたはベクター・フォーマット等の種々の画像形式は、画像走査機能部５０８からジョブ・キュー５１２を介して以降の処理のために中継される。
【００４１】
ジョブ・キュー５１２は、また、ネットワーク・サービス機能部５１４ともデータ通信を行う。一実施形態において、ジョブ制御、状態データまたは電子ドキュメント・データが、ジョブ・キュー５１２とネットワーク・サービス機能部５１４との間で交換される。したがって、適切なインターフェイスが、クライアント側ネットワーク・サービス機能５２０を介したコントローラへのネットワーク・ベースのアクセスのために設けられており、このクライアント側ネットワーク・サービス機能は、任意の適切なシン・クライアントまたはシック・クライアントである。一実施形態において、ウェブ・サービス・アクセスは、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部５１４は、また、ＦＴＰ、電子メールまたはテルネット（TELNET）等による通信のために、クライアント側ネットワーク・サービス機能５２０とのデータ交換も有効に提供する。このように、コントローラ機能は、種々のネットワーク・アクセス・メカニズムによって、電子ドキュメントおよびユーザ情報の出力あるいは受信を容易にする。
【００４２】
ジョブ・キュー５１２は、また、画像プロセッサ５１６ともデータ通信を行う。画像プロセッサ５１６は、印刷機能部５０４、ファクシミリ通信機能部５０６または画像走査機能部５０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００４３】
最後に、ジョブ・キュー５１２は、ジョブ解析部（job parser）５１８とデータ通信を行い、このジョブ解析部５１８はクライアント装置サービス部５２２等の外部装置からの印刷ジョブ言語ファイルを受け取る働きをする。クライアント装置サービス部５２２は、電子ドキュメントの印刷、ファクシミリ通信、またはコントローラ機能による処理が有効である他の適切な電子ドキュメントの入力を含む。ジョブ解析部５１８は、受け取った電子ドキュメント・ファイルを解析し、前述した機能およびコンポーネントと関連する処理のために、解析した電子ドキュメント・ファイル情報をジョブ・キュー５１２に中継する働きをする。
【００４４】
以下、本発明における動作の概要を説明する。先ず、複数の画像データ・ファイルを受け取る。画像データ・ファイルの少なくとも１つは、透明度特性を有する領域を表す透明度データを含む。次に、受け取った画像データ・ファイルのそれぞれに対応する画像特性を表す画像特性データを受け取る。次いで、画像データ・ファイルを重ね合わせることによって合成画像を生成する。続いて、生成された合成画像の出力を生成する。
【００４５】
本発明による例示的な一実施形態において、ドキュメント処理装置１０４のコントローラ１０８は、合成画像の作成に使用される複数の画像データ・ファイルを受け取る。受け取る画像データ・ファイルは、例えば、広告、教育資料およびグラフィック・デザイン等を包含可能である。また、画像データ・ファイルを、ユーザ装置１１４からコンピュータ・ネットワーク１０２を介して、あるいはユーザ・インターフェイス１０６を介して直接的に、受け取ることができる。さらに、画像データ・ファイルは、ディジタル・カメラ、ディジタル・アーカイブ、ＣＡＤプログラム、ワード・プロセッシング・プログラムおよびグラフィック・デザイン・プログラム等から取得することができる。画像データ・ファイルは、コピー装置またはＭＦＰに内蔵された形態を含む、スキャナを介して取得することもできる。
【００４６】
本発明による例示的な一実施形態によれば、複数の画像データ・ファイルは、例えば、紙のドキュメントのページ等の、人間によって認識可能で、有形のドキュメントを画像走査することによって生成される。次いで、ドキュメント処理装置１０４のコントローラ１０８は、それぞれの画像データ・ファイルに対応する画像特性を表す画像特性データを受け取る。一実施形態において、画像特性データは、対応する画像データ・ファイルに関するティント（tint）レベルを表すデータを含む。
【００４７】
したがって、画像データ・ファイルを生成するために紙のドキュメントが画像走査されるか、または画像データ・ファイルがその他の方法によってコントローラ１０８に伝達される前に、ユーザは、それぞれの画像データ・ファイルについて、透明度特性を有する領域を表す透明度データを入力するように促される。例えば、一実施形態においては、ドキュメント処理装置１０４の画像走査エンジン３０８を使用して複数の画像データ・ファイルを生成するときに、ユーザは、ユーザ・インターフェイス１０６を介して、対応する透明度データを入力するように促される。一実施形態において、透明度データは、プレゼンテーションから除去される領域内の少なくとも１つの色を表しており、色透明度データを含む。したがって、特定のページ、またはページの領域内の色を、除去するように選択することができる。ユーザは、さらに、例えば、０％および５０％等の対応する画像データ・ファイルに関するティント・レベルを表すデータを含む画像特性データを入力するように、促される。
【００４８】
透明度特性を有する領域を表すデータを含む画像データ・ファイルを受け取り、受け取った画像データ・ファイルのそれぞれに対応する画像特性を表す画像特性データを受け取ると、コントローラ１０８は、合成画像を生成する。合成画像は、受け取った画像データ・ファイルを重ね合わせることによって生成される。ユーザは、合成画像の生成に先立って、ユーザ・インターフェイス１０６を介して、合成画像を生成するために使用されるオーバーレイの順序を入力するように促される。例えば、オーバーレイの順序は、画像走査の順序によって定めることができる。このような実施形態においては、画像走査された第２ページが画像走査された第１ページの上に配置され、画像走査された第３ページが第２ページの上に配置され、以下、同様に配置される。あるいは、画像走査の順序によって定める代わりに、オーバーレイの順序は、ユーザによって指示される別な方法によって定めることができる。
【００４９】
次いでコントローラ１０８は、生成された合成画像の出力を生成する。さらに、生成された合成画像に対応し、人間によって認識可能で、有形のドキュメントを、ドキュメント処理装置１０４のコントローラ１０８によって生成することができる。一例として、ドキュメント処理装置１０４は、生成された合成画像に対応した、紙のドキュメントを生成することができる。
【００５０】
以上、図１ないし図５を参照しながら説明を行ったシステム１００およびコンポーネントについては、図６および図７を参照しながら行う、本発明による実施形態における複数の画像オーバーレイからドキュメントを生成する動作の説明によって、理解が深まるであろう。図６に、本発明による実施形態において、ドキュメント処理装置１０４の観点からの複数の画像オーバーレイからドキュメントを生成する動作例を表すフローチャートを示す。先ず、Ｓ６０２で、コントローラ１０８またはドキュメント処理装置１０４に関連するその他の適切なコンポーネントが、画像データ・ファイルを受け取る。受け取る画像データ・ファイルは、例えば、広告、教育資料およびグラフィック・デザイン等を包含可能である。また、画像データ・ファイルを、ユーザ装置１１４からコンピュータ・ネットワーク１０２を介して、あるいはユーザ・インターフェイス１０６を介して直接的に、受け取ることができる。
【００５１】
さらに、画像データ・ファイルは、ディジタル・カメラ、ディジタル・アーカイブ、ＣＡＤプログラム、ワード・プロセッシング・プログラムおよびグラフィック・デザイン・プログラム等から取得することができる。画像データ・ファイルは、コピー装置またはＭＦＰに内蔵された形態を含む、スキャナを介して取得することもできる。Ｓ６０２において受け取られた画像データ・ファイルは、透明度特性を有する領域を表す透明度データを含む。透明度データは、例えば、プレゼンテーションから除去される領域内の少なくとも１つの色を表す色透明度データを包含可能である。Ｓ６０４において、コントローラ１０８またはドキュメント処理装置１０４に関連するその他の適切なコンポーネントは、受け取った画像データ・ファイルに対応する画像特性を表す画像特性データを受け取る。画像特性データは、ユーザ装置１１４からコンピュータ・ネットワーク１０２を介して、あるいはユーザ・インターフェイス１０６を介して直接的に、受け取ることができる。画像特性データは、対応する画像データ・ファイルに関するティント・レベルを表すデータを包含可能である。
【００５２】
Ｓ６０６において、コントローラ１０８は、後ほど説明するように、ユーザが定めた選択情報にしたがって、画像データ・ファイルを重ね合わせることによって合成画像を生成する。次にＳ６０８において、コントローラ１０８は、生成された合成画像の出力を生成する。次いで、ドキュメント処理装置１０４は、コントローラ１０８または適切なコンポーネントを介して、生成された合成画像の出力をユーザに伝達する。
【００５３】
次に図７を参照しながら、本発明による別の実施形態における複数の画像オーバーレイからドキュメントを生成する動作を説明する。図７に、本発明による別の実施形態における複数の画像オーバーレイからドキュメントを生成する動作例を表したフローチャートを示す。先ずＳ７０２において、ドキュメントの画像走査が必要であるか否かの判断が行われる。Ｓ７０２において、ドキュメントの画像走査が必要であると判断されたときには、処理はＳ７０４に進む。Ｓ７０４においては、プレゼンテーションから除去される領域内の少なくとも１つの色を表す色透明度データが必要であるか否かの判断が行われる。色透明度データが必要であると判断された場合には、処理はＳ７０６に進み、ユーザは、ドキュメント処理装置１０４のユーザ・インターフェイス１０６を介して、プレゼンテーションから除去される関連領域内の少なくとも１つの色を表す色透明度データを入力するように促される。したがって、特定のページ、またはページの領域内の色を、除去するように選択することができる。また、ユーザは、ユーザ装置１１４において色透明度データを入力し、コンピュータ・ネットワーク１０２を介して、ドキュメント処理装置１０４に伝達することもできる。
【００５４】
Ｓ７０６において色透明度データが入力されると、処理はＳ７０８に進む。特定のページ、またはページの領域内の色を除去するように選択されない場合、すなわち色透明度データが不要であるとＳ７０４において判断された場合には、処理はＳ７０４からＳ７０８に進む。Ｓ７０８においては、対応する画像データ・ファイルに関するティント・レベル・データが必要であるか否かの判断が行われる。ティント・レベル・データが必要であると判断された場合には、処理はＳ７１０に進み、ユーザは、ドキュメント処理装置１０４のユーザ・インターフェイス１０６を介して、例えば０％および５０％等の、対応する画像データ・ファイルに関するティント・レベルを入力するように促される。ユーザは、ユーザ装置１１４において色透明度データを入力し、コンピュータ・ネットワーク１０２を介して、ドキュメント処理装置１０４に伝達することも可能である。Ｓ７１０においてティント・レベル・データが入力されると、処理はＳ７１２に進む。
【００５５】
Ｓ７０８に戻り、Ｓ７０８において否定的な判断がなされたとき、すなわちティント・レベル・データが不要であると判断された場合には、処理はＳ７１２に進む。Ｓ７１２においては、ユーザは、ドキュメント処理装置１０４のユーザ・インターフェイス１０６を介して、画像走査用のドキュメントをセットするように促される。次いでＳ７１４において、ドキュメント処理装置１０４の画像走査エンジン３０８によって、ドキュメントの画像走査を行う。Ｓ７１６において、ドキュメント処理装置１０４のコントローラ１０８は、人間によって認識可能で、有形のドキュメントを画像走査することによって、画像データ・ファイルを生成する。
【００５６】
次いでユーザは、Ｓ７１８において、ドキュメント処理装置１０４のユーザ・インターフェイス１０６を介して、画像データ・ファイルの重ね合わせの順序を入力するように促される。例えば、オーバーレイの順序は、画像走査の順序によって定めることができる。このような実施形態においては、画像走査された第２ページが画像走査された第１ページの上に配置され、画像走査された第３ページが第２ページの上に配置され、以下、同様に配置される。あるいは、画像走査の順序によって定める代わりに、オーバーレイの順序は、ユーザによって指示される別な方法によって定めることができる。例えば、重ね合わせの順序は画像走査の順序の反対であってもよいし、あるいは予め定められた重ね合わせの順番が指示されてもよい。次いで処理はＳ７２０に進み、コントローラ１０８は、Ｓ７１８において入力された重ね合わせの順序にしたがって、画像データ・ファイルを重ね合わせることによって合成画像を生成する。
【００５７】
Ｓ７２２において、ドキュメント処理装置１０４のコントローラ１０８は、生成された合成画像の出力を生成する。合成画像の出力が生成されると、生成された合成画像に対応し、人間によって認識可能であって有形のドキュメントを、Ｓ７２４において、ドキュメント処理装置１０４によって生成する。ドキュメント処理装置１０４は、例えば、生成された合成画像に対応する紙のドキュメントを生成することができる。
【００５８】
Ｓ７０２に戻り、ドキュメントの画像走査は不要であると判断された場合には、処理はＳ７２６に進む。Ｓ７２６において、ドキュメント処理装置１０４のコントローラ１０８は、例えば、ディジタル・カメラ、ディジタル・アーカイブ、ＣＡＤプログラム、ワード・プロセッシング・プログラムおよびグラフィック・デザイン・プログラム等の関連する１つまたは複数のソースから画像データ・ファイルを受け取る。Ｓ７２６において受け取られた画像データ・ファイルは、透明度特性を有する領域を表す透明度データを含む。次いで、処理はＳ７２８に進み、プレゼンテーションから除去される領域内の少なくとも１つの色を表す色透明度データが、受け取られた画像データ・ファイルに含まれているか否かの判断が行われる。
【００５９】
Ｓ７２８において、受け取られた画像データ・ファイルに色透明度データが含まれていないと判断されたときには、処理はＳ７０４に進み、その後は、前述したようにＳ７０６〜Ｓ７２４に進む。Ｓ７２８において、プレゼンテーションから除去される領域内の少なくとも１つの色を表す色透明度データが、受け取った複数の画像データ・ファイルに含まれていると判断されたときには、処理はＳ７３０に進む。Ｓ７３０において、ドキュメント処理装置１０４のコントローラ１０８は、例えば、ディジタル・カメラ、ディジタル・アーカイブ、ＣＡＤプログラム、ワード・プロセッシング・プログラムおよびグラフィック・デザイン・プログラム等のソースから画像データ・ファイルのそれぞれに対応する画像特性を表す画像特性データを受け取る。
【００６０】
次にＳ７３２において、画像特性データが、対応する画像データ・ファイルに関するティント・レベルを表すデータを含んでいるか否かの判断が行われる。Ｓ７３２において、画像特性データが、対応する画像データ・ファイルに関するティント・レベル・データを含んでいないと判断されたときには、処理はＳ７０８に進み、その後は、前述したようにＳ７１０〜Ｓ７２４に進む。Ｓ７３２において、画像特性データが、対応する画像データ・ファイルに関するティント・レベル・データを含んでいると判断されたときには、処理はＳ７３４に進み、画像データ・ファイルの重ね合わせの順序が、受け取られた画像データ・ファイル内に含まれているか否かの判断が行われる。Ｓ７３４において、受け取られた画像データ・ファイル内に画像データ・ファイルの重ね合わせの順序が含まれていないと判断されたときには、処理はＳ７１８に進み、その後は、前述したようにＳ７２０〜Ｓ７２４に進む。Ｓ７３４において、受け取られた画像データ・ファイル内に画像データ・ファイルの重ね合わせの順序が含まれていると判断されたときには、処理はＳ７２０に進み、その後は、前述したようにＳ７２２〜Ｓ７２４に進む。
【００６１】
図８に、本発明にしたがって生成される合成画像の一例を示す。この例において、合成画像８０６は、２つの画像データ・ファイルに対応する第１のオーバーレイ８０２と第２のオーバーレイ８０４を重ね合わせることによって生成される。図に示すように、第１のオーバーレイ８０２は５０％の白のティントを含み、透明色を含んでいない。第２のオーバーレイ８０４は０％の白のティントを含み、白が透明色である。
【００６２】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムをも含む。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができ、あるいは電気ケーブルまたは光ケーブルによって、または無線や他の手段によって伝えられる電気信号や光信号等の任意の担体によって伝達することができる。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の範囲内にある。
【００６３】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【図面の簡単な説明】
【００６４】
【図１】本発明による実施形態が適用されるシステム全体の構成例である。
【図２】本発明による実施形態のシステムの動作が実行されるドキュメント処理装置のハードウェアの構成例である。
【図３】本発明による実施形態のシステムの動作が実行されるドキュメント処理装置の機能ブロックの構成例である。
【図４】本発明による実施形態のシステムの動作が実行されるコントローラのハードウェアの構成例を説明するための図である。
【図５】本発明による実施形態のシステムの動作が実行されるコントローラの機能ブロックの構成例を説明するための図である。
【図６】本発明による実施形態において、複数の画像オーバーレイからドキュメントを生成する動作例をドキュメント処理装置の観点から表したフローチャートである。
【図７】本発明による別の実施形態における複数の画像オーバーレイからドキュメントを生成する動作例を表したフローチャートである。
【図８】本発明による実施形態にしたがって生成される合成画像の一例を示す図である。
【符号の説明】
【００６５】
１００  システム
１０２  コンピュータ・ネットワーク、分散通信システム
１０４  ドキュメント処理装置、ＭＦＰ
１０６  ユーザ・インターフェイス
１０８  コントローラ
１１０  データ記憶装置
１１２、１１６  通信リンク
１１４  ユーザ装置
２００、３００  ドキュメント処理装置
２０２、４０２  プロセッサ
２０４、４０４  読出し専用メモリ、ＲＯＭ
２０６、４０６  ＲＡＭ
２０８、４０８  ストレージ・インターフェイス
２１０、４１０  ネットワーク・インターフェイス・サブシステム
２１２、４１２  バス
２１４、３１６、４１４  ネットワーク・インターフェイス・カード
２１６、４１６  ディスク・ドライブ
２１８、４１８  無線インターフェイス
２２０、４２０  物理的ネットワーク
２２２  オプションの入出力インターフェイス
２２４  ユーザ入出力パネル
２２６  印刷インターフェイス
２２８  コピー・インターフェイス
２３０  画像走査インターフェイス
２３２  ファクシミリ・インターフェイス
２３４、３０４  印刷エンジン
２３６  コピー・エンジン
２３８、３０８  画像走査エンジン
２４０、３０６  ファクシミリ・エンジン
３１０  コンソール・パネル
３１４  デバイス・ドライバ
３１８、３２０、３２２、３２４、３２６  ドライバ
４００  コントローラ
４２２  ドキュメント・プロセッサ・インターフェイス
４２４  コピー・ハードウェア
４２６  画像走査ハードウェア
４２８  印刷ハードウェア
４３０  ファクシミリ・ハードウェア
４３２  ドキュメント処理ハードウェア
５０２、３０２  ドキュメント処理エンジン
５０４  印刷機能部
５０６  ファクシミリ通信機能部
５０８  画像走査機能部
５１０  ユーザ・インターフェイス・パネル
５１２  ジョブ・キュー
５１４  ネットワーク・サービス機能部
５１６  画像プロセッサ
５１８  ジョブ解析部
５２０  クライアント側ネットワーク・サービス機能
５２２  クライアント装置サービス部
８０２  第１のオーバーレイ
８０４  第２のオーバーレイ
８０６  合成画像
【図１】
2008289166.tif 000003
【図２】
2008289166.tif 000004
【図３】
2008289166.tif 000005
【図４】
2008289166.tif 000006
【図５】
2008289166.tif 000007
【図６】
2008289166.tif 000008
【図７】
2008289166.tif 000009
【図８】
2008289166.tif 000010